(57)【要約】【課題】作業者Ｍがフットペダルを踏み込む際にバランスを保った上で、曲げ作業の作業性を十分に高めること。【解決手段】下部テーブル２２の下部には、ガイド部材３８が設けられ、ガイド部材３８には、スライド部材４４が長さ方向へ移動可能に設けられている。スライド部材４４には、ペダルケース５０の上部が上下方向へ移動可能かつ傾動可能に連結され、ペダルケース５０の背面５０ｂ側がスライド部材４４よりも下部テーブル２２側に突出している。ペダルケース５０内にフットペダル６２（６４）が設けられ、ペダルケース５０の長さ方向の各側面５０ｓには、床面Ｆを長さ方向に沿って転動する転動体６８が設けられている。付勢部材５８は、ペダルケース５０の接地部５０ｅが床面Ｆから離れるようにペダルケース５０をスライド部材４４に対して付勢する。【選択図】図５
2020175406.tif 000002
【特許請求の範囲】
【請求項１】
下部テーブルの下部又はその正面側に配置された別部材に設けられ、長さ方向に延びたガイド部材と、
前記ガイド部材に長さ方向へ移動可能に設けられたスライド部材と、
上部が前記スライド部材に上下方向へ移動可能かつ傾動可能に連結され、背面側が前記スライド部材よりも前記下部テーブル側に突出し、床面に接地可能な接地部を有し、手動によって前記スライド部材と共に長さ方向へ移動するペダルケースと、
前記ペダルケース内に設けられ、上部テーブルの昇降動作を行うために足踏み操作されるフットペダルと、
前記ペダルケースの長さ方向の各側面に設けられ、床面を長さ方向に沿って転動する転動体と、
前記ペダルケースの前記接地部が床面から離れるように前記ペダルケースを前記スライド部材に対して付勢する付勢部材と、を備えたことを特徴とするプレスブレーキ。
【請求項２】
前記ペダルケースの上部に設けられ、上下方向に延びた長穴が形成された連結ブラケットと、
前記スライド部材に固定され、前記連結ブラケットの前記長穴に挿通した固定部材と、備えことを特徴とする請求項１に記載のプレスブレーキ。
【請求項３】
前記付勢部材は、前記固定部材の外周側に設けられかつ前記連結ブラケットを前記スライド部材側に付勢するスプリングであることを特徴とする請求項２に記載のプレスブレーキ。
【請求項４】
前記フットペダルが踏み込まれると、前記ペダルケースが前記付勢部材の付勢力に抗しながら前記転動体を支点として下方向へ傾動して、前記ペダルケースの前記接地部が床面に接地するように構成されていることを特徴とする請求項１から請求項３のうちのいずれか１項に記載のプレスブレーキ。
【請求項５】
前記転動体は、前記ペダルケースの奥行方向の中心位置よりも前記下部テーブル側に位置していることを特徴とする請求項１から請求項４のうちのいずれか１項に記載のプレスブレーキ。
【請求項６】
前記ペダルケースの長さ方向の各側面に設けられ、前記ペダルケースの背面よりも前記下部テーブル側に突出し、前記下部テーブルの正面を長さ方向に沿って転動する補助転動体を備えたことを特徴とする請求項１から請求項５のうちのいずれか１項に記載のプレスブレーキ。
【発明の詳細な説明】
【技術分野】
【０００１】
本発明は、上部金型と下部金型との協働により板状のワークに対して曲げ加工を行うプレスブレーキに関する。
【背景技術】
【０００２】
近年、プレスブレーキにおける上部テーブルと下部テーブルの間に形成された複数の加工ステーションにおいて、ワークの曲げ順に基づいて順次曲げ加工を行うステップベンド加工が普及している。それに伴い、プレスブレーキの構成の複雑化を抑えた上で、手動（人力）によってペダルケースを長さ方向（プレスブレーキの長さ方向）へ移動できるようにした移動式のフットスイッチ装置が開発されている（特許文献１参照）。そして、その先行技術に係るフットスイッチ装置の構成を簡単に説明すると、次の通りである。
【０００３】
下部テーブルの下部には、長さ方向に延びたガイド部材が設けられている。ガイド部材には、スライド部材が長さ方向へ移動可能に設けられている。スライド部材の下部には、ペダルケースの背面側の下部が複数の蝶番を介して上下方向へ傾動可能に連結されており、ペダルケースは、手動によってスライド部材と共に長さ方向へ移動する。ペダルケースは、正面側の下端に、床面に接地可能な接地部を有している。ペダルケース内には、上部テーブルの昇降動作を行うために足踏み操作されるフットペダルが設けられている。
【０００４】
ペダルケースの長さ方向の各側面には、床面を長さ方向に沿って転動する転動体としての転動ローラが回転可能かつ上下方向へ移動可能に設けられている。また、ペダルケースの長さ方向の各側面には、転動ローラを上方向から覆うカバーが設けられている。各カバー内には、転動ローラをペダルケースに対して下方向へ付勢するスプリングが設けられている。そして、フットスイッチ装置は、フットペダルが踏み込まれると、各転動ローラがスプリングの付勢力に抗しつながらペダルケースに対して相対的に上方向へ移動して、ペダルケースの接地部が床面に接地するように構成されている。これにより、フットペダルの踏み込む操作によるペダルケースの長さ方向の位置ずれを防止することができる。その結果、作業者がフットペダルを踏み込む際に、バランスを崩すことなく、曲げ作業（加工作業）を行うことができる。
【先行技術文献】
【特許文献】
【０００５】
【特許文献１】特許第６４５０８２０号公報
【発明の概要】
【発明が解決しようとする課題】
【０００６】
ところで、ペダルケースの背面側の下部がスライド部材の下部に上下方向へ傾動可能に連結されているため、フットケース全体がスライド部材よりも正面側（前側）に位置し、フットペダル及びフットスイッチを下部テーブルに十分に近づけることができない。そのため、作業者が下部テーブル及び下部金型から遠ざかった状態で、曲げ作業を行うことになり、曲げ作業の作業性の低下を招くおそれがある。
【０００７】
また、前述のように、フットペダルの踏み込む操作によるペダルケースの長さ方向の位置ずれを防止するために、ペダルケースの長さ方向の各側面にカバーを設けると共に、各カバー内にスプリングを設ける必要がある。そのため、フットペダルを踏まない方の足をペダルケースの長さ方向の方側に置く際に、カバー等が障害になり、フットペダルを踏まない方の置く場所が制限される。その結果、作業者が安定した姿勢を保った状態で、長時間の曲げ作業を行うことができず、曲げ加工の作業性の更なる低下を招くおそれがある。
【０００８】
つまり、作業者がフットペダルを踏み込む際にバランスを保った上で、曲げ作業の作業性を十分に高めることは困難であるという問題がある。
【０００９】
そこで、本発明は、ペダルケースを下部テーブルに十分に近づけると共に、ペダルケースの長さ方向の両側にフットペダルを踏まない方の足の置く場所を十分に確保することがきる、プレスブレーキを提供することを目的とする。
【課題を解決するための手段】
【００１０】
本発明の実施態様に係るプレスブレーキは、下部テーブルの下部又はその正面側に配置された別部材に設けられ、長さ方向に延びたガイド部材と、前記ガイド部材に長さ方向へ移動可能に設けられたスライド部材と、上部が前記スライド部材に上下方向へ移動可能かつ傾動可能（揺動可能）に連結され、背面側（背面側部分）が前記スライド部材よりも前記下部テーブル側に突出し、床面に接地（接触）可能な接地部を有し、手動（人力）によって前記スライド部材と共に長さ方向へ移動するペダルケースと、前記ペダルケース内に設けられ、上部テーブルの昇降動作を行うために足踏み操作されるフットペダルと、前記ペダルケースの長さ方向の各側面に設けられ、床面を長さ方向に沿って転動する転動体と、前記ペダルケースの前記接地部が床面から離れるように前記ペダルケースを前記スライド部材に対して付勢する付勢部材と、を備えている。
【００１１】
本発明の実施態様に係るプレスブレーキは、前記ペダルケースの上部に設けられ、上下方向に延びた長穴が形成された連結ブラケットと、前記スライド部材に固定され、前記連結ブラケットの前記長穴に挿通した固定部材と、備えてもよい。この場合には、前記付勢部材は、前記固定部材の外周側に設けられかつ前記連結ブラケットを前記スライド部材側に付勢するスプリングであってもよい。
【００１２】
本発明の実施形態に係るプレスブレーキは、前記フットペダルが踏み込まれると、前記ペダルケースが前記付勢部材の付勢力に抗しながら前記転動体を支点として下方向へ傾動して、前記ペダルケースの前記接地部が床面に接地するように構成されてもよい。また、本発明の実施形態に係るプレスブレーキでは、前記転動体は、前記ペダルケースの奥行方向の中心位置よりも前記下部テーブル側に位置してもよい。
【００１３】
本発明の実施形態に係るプレスブレーキは、前記ペダルケースの長さ方向の各側面に設けられ、前記ペダルケースの背面よりも前記下部テーブル側に突出し、前記下部テーブルの正面を長さ方向に沿って転動する補助転動体を備えてもよい。
【００１４】
本発明の実施態様によると、前述のように、前記ペダルケースの上部が前記スライド部材に上下方向へ傾動可能に連結され、前記ペダルケースの背面側が前記スライド部材よりも前記下部テーブル側に突出している。そのため、前記ペダルケースを前記下部テーブルに十分に近づけることができる。
【００１５】
前述のように、前記ペダルケースの上部が前記スライド部材に上下方向へ移動可能に連結されている。前記ペダルケースの前記接地部が床面から離れるように、前記付勢部材が前記ペダルケースを前記スライド部材に対して付勢している。これにより、前記フットペダルが踏み込まれると、前記ペダルケースが前記付勢部材の付勢力に抗しながら前記転動体を支点として下方向へ傾動して、前記ペダルケースの前記接地部が床面に接地する。そのため、ペダルケースの長さ方向の各側面に前記転動体を上方向から覆うカバーを設けたり、各カバー内に前記転動体を前記ペダルケースに対して下方向へ付勢するスプリングを設けたりすることなく、前記フットペダルの踏み込む操作による前記ペダルケースの長さ方向の位置ずれを防止することができる。換言すれば、前記フットペダルの踏み込む操作による前記ペダルケースの長さ方向の位置ずれを防止した上で、前記ペダルケースの長さ方向の両側に前記フットペダルを踏まない方の足の置く場所を十分に確保することができる。
【発明の効果】
【００１６】
本発明によれば、前記ペダルケースを前記下部テーブルに十分に近づけることができるため、作業者が前記下部テーブル及び下部金型に十分に近づいた状態で、曲げ作業を行うことができる。また、前記ペダルケースの長さ方向の両側に前記フットペダルを踏まない方の足の置く場所を十分に確保できるため、作業者が安定した姿勢を保った状態で、長時間の曲げ作業を行うことができる。つまり、本発明によれば、作業者がフットペダルを踏み込む際にバランスを保った上で、曲げ作業の作業性を十分に高めることができる。
【図面の簡単な説明】
【００１７】
【図１】図１は、本発明の実施形態に係るプレスブレーキの模式的な正面図である。
【図２】図２は、本発明の実施形態に係るプレスブレーキの模式的な部分側面図である。
【図３】図３は、本発明の実施形態に係るプレスブレーキの模式的な部分拡大正面図である。
【図４】図４は、図３におけるIV部の拡大図である。
【図５】図５は、図４におけるV-V線に沿った断面図である。
【図６】図６は、図４におけるVI-VI線に沿った拡大断面図である。
【図７】図７は、図３におけるVII-VII線に沿った拡大断面図である。
【図８】図８（ａ）は、下降用フットペダル又は上昇用フットペダルを踏み込む前の様子を示しており、図８（ｂ）は、下降用フットペダル又は上昇用フットペダルを踏み込んだ様子を示している。
【発明を実施するための形態】
【００１８】
以下、本発明の実施形態について図１から図８（ａ）（ｂ）を参照して説明する。
【００１９】
なお、本願の明細書及び特許請求の範囲において、「設けられる」とは、直接的に設けられることの他に、別部材を介して間接的に設けられることを含む意である。「長さ方向」とは、プレスブレーキの長さ方向のことをいい、本発明の実施形態にあっては、左右方向のことをいう。「奥行方向」とは、プレスブレーキの奥行方向のことをいい、本発明の実施形態にあっては、前後方向のことである。「移動」とは、直線移動のことである。図面中、「ＦＦ」は前方向、「ＦＲ」は後方向、「Ｌ」は左方向、「Ｒ」は右方向、「Ｕ」は上方向、「Ｄ」は下方向をそれぞれ指している。
【００２０】
図１から図３に示すように、本発明の実施形態に係るプレスブレーキ１０は、上部金型としてのパンチ金型１２と下部金型としてのダイ金型１４の協働により板状のワーク（板金）Ｗの曲げ加工を行う加工機である。また、プレスブレーキ１０は、本体フレーム１６を備えており、本体フレーム１６は、長さ方向（左右方向）に離隔対向した一対のサイドプレート１８と、一対のサイドプレート１８を連結する複数（１つのみ図示）の連結部材２０とを有している。
【００２１】
本体フレーム１６の下部には、長さ方向に延びた下部テーブル２２が設けられている。下部テーブル２２の上側には、ダイ金型１４を着脱可能に保持する下部金型ホルダ２４が設けられている。また、本体フレーム１６の上部には、長さ方向に延びた上部テーブル２６が昇降可能（上下方向へ移動可能）に設けられている。上部テーブル２６の下側には、パンチ金型１２を着脱可能に保持する上部金型ホルダ２８が設けられている。各サイドプレート１８の上部には、上部テーブル２６を昇降させるための昇降手段として油圧シリンダ３０が設けられている。なお、昇降手段として油圧シリンダ３０の代わりに、電動モータ（図示省略）を用いてもよい。
【００２２】
ここで、複数のダイ金型１４を下部金型ホルダ２４に長さ方向に間隔を置いて配置しかつ複数のパンチ金型部１２を上部金型ホルダ２８に長さ方向に間隔を置いて配置することによって、上部テーブル２６と下部テーブル２２の間にステップベンド加工を行うための複数の加工ステーションＳＴが形成される。
【００２３】
下部テーブル２２の背面側（後方）には、ワークＷをダイ金型１４に対して奥行方向（前後方向）に位置決めするためのバックゲージ装置３２が設けられている。バックゲージ装置３２は、ワークＷの端面を突き当て可能な突き当て部材３４を有しており、突き当て部材３４は、奥行方向へ位置調節可能になっている。
【００２４】
プレスブレーキ１０は、作業者Ｍによる足踏み操作によって上部テーブル２６の昇降動作を行うための移動式のフットスイッチ装置３６を具備している。そして、本発明の実施形態に係るフットスイッチ装置３６の具体的な構成は、次の通りである。
【００２５】
図３から図６に示すように、下部テーブル２２の下部には、長さ方向に延びたガイド部材３８が設けられている。ガイド部材３８は、下部テーブル２２の下部に設けられたガイド本体４０と、ガイド本体４０の正面（前面）に設けられかつ正面側を開いたＵ字形状に形成されたガイドレール４２とを有している。なお、ガイド部材３８を下部テーブル２２の下部に設ける代わりに、下部テーブル２２の正面側に配置された固定フレーム等の別部材（図示省略）に設けてもよい。
【００２６】
ガイド部材３８には、スライド部材４４が長さ方向へ移動可能に設けられている。スライド部材４４は、ガイド部材３８のガイドレール４２に長さ方向へ移動可能に案内されるスライドレール４６と、スライドレール４６に設けられたスライド本体４８とを有している。
【００２７】
スライド本体４８の下端部には、ペダルケース５０の上部（上面）５０ｕが上下方向へ移動可能かつ傾動可能（揺動可能）に連結されており、ペダルケース５０は、正面側から足Ｍｆを挿入可能である。ペダルケース５０の背面５０ｂ側は、スライド部材４４よりも下部テーブル２２側（後方向）に突出しており、ペダルケース５０の背面５０ｂは、下部テーブル２２に近接している。また、ペダルケース５０は、正面側の下端に、床面Ｆに接地可能な接地部５０ｅを有している。
【００２８】
ペダルケース５０の上部５０ｕをスライド本体４８の下端部に連結するための構成として、ペダルケース５０の上部５０ｕには、連結ブラケット５２が設けられている。連結ブラケット５２には、上下方向に延びた一対の長穴５２ｈが形成されており、一対の長穴５２ｈは、長さ方向に離隔している。スライド本体４８の下部には、一対の固定部材としての固定ボルト５４がナット５６を介して固定されており、一対の固定ボルト５４は、長さ方向に離隔している。各固定ボルト５４は、連結ブラケット５２の対応する長穴５２ｈに挿通している。
【００２９】
各固定ボルト５４の外周側には、連結ブラケット５２をスライド部材４４側（後方向）に付勢する付勢部材としての圧縮スプリング５８が複数の座金６０を介して設けられている。各圧縮スプリング５８は、連結ブラケット５２をスライド部材４４側に付勢することによって、ペダルケース５０の接地部５０ｅが床面Ｆから離れるようにペダルケース５０をスライド部材４４に対して付勢する。なお、付勢部材として圧縮スプリング５８を用いる代わりに、圧縮スプリング５８以外のスプリング（図示省略）又はゴム部材等の弾性部材（図示省略）を用いてもよい。付勢部材（圧縮スプリング５８等）の設置箇所は、固定ボルト５４の外周側に限るものでなく、付勢部材の設置場所をペダルケース５０の適宜位置に変更してもよい。
【００３０】
図３、図４、及び図７に示すように、ペダルケース５０内には、上部テーブル２６の昇降動作を行うために足踏み操作される下降用フットペダル６２と上昇用フットペダル６４が設けられている。下降用フットペダル６２の足踏み操作によって各油圧シリンダ３０を制御して上部テーブル２６の下降動作が行われる。上昇用フットペダル６４の足踏み操作によって各油圧シリンダ３０を制御して上部テーブル２６の上昇動作が行われる。なお、上部テーブル２６が下死点に達すると、上部テーブル２６の上昇動作が自動的に行われるようにしてもよい。
【００３１】
ペダルケース５０の長さ方向の各側面５０ｓには、支持ブラケット６６が設けられている。各支持ブラケット６６の下部には、床面Ｆを長さ方向に沿って転動する転動体としての転動ローラ（キャスター）６８が水平な軸心６８ｃ周りに回転可能に設けられている。換言すれば、ペダルケース５０の長さ方向の各側面５０ｓには、転動ローラ６８が支持ブラケット６６を介して水平な軸心６８ｃ周りに回転可能に設けられている。また、各転動ローラ６８は、ペダルケース５０の奥行方向の中心位置よりも下部テーブル２２側（後側）に位置している。ペダルケース５０の奥行方向の中心位置とは、ペダルケース５０の奥行方向の全長の半分位置のことをいう。なお、転動体として転動ローラ６８を用いる代わりに、フリーベアリング（図示省略）又はボールプランジャー（図示省略）を用いてもよい。
【００３２】
各支持ブラケット６６の後部には、下部テーブル２２の正面の下部を長さ方向に沿って転動する補助転動体としての補助転動ローラ（補助キャスター）７０が垂直な軸心７０ｃ周りに回転可能に設けられている。換言すれば、ペダルケース５０の長さ方向の各側面５０ｓには、補助転動ローラ７０が支持ブラケット６６を介して垂直な軸心７０ｃ周りに回転可能に設けられている。各補助転動ローラ７０は、ペダルケース５０の背面５０ｂよりも下部テーブル２２側に突出している。なお、補助転動体として補助転動ローラ７０を用いる代わりに、補助フリーベアリング（図示省略）又は補助ボールプランジャー（図示省略）を用いてもよい。
【００３３】
そして、図７及び図８（ａ）（ｂ）に示すように、フットスイッチ装置３６（プレスブレーキ１０）は、下降用フットペダル６２又は上昇用フットペダル６４フットペダルが踏み込まれると、ペダルケース５０が各圧縮スプリング５８の付勢力に抗しながら各転動ローラ６８を支点として下方向へ傾動して、ペダルケース５０の接地部５０ｅが床面Ｆに接地するように構成されている。また、各補助転動ローラ７０は、ペダルケース５０の接地部５０ｅが床面Ｆに接地すると、下部テーブル２２の正面から離れるように構成されている。
【００３４】
続いて、本発明の実施形態の作用及び効果について説明する。
【００３５】
複数の加工ステーションＳＴにおいて、ステップベンド曲げを行う場合には、まず、作業者Ｍの足Ｍｆによる押し等の手動（人力）によってペダルケース５０をスライド部材４４と共に長さ方向へ移動させて、最初の加工ステーションＳＴに対応する位置に位置させる。次に、最初の加工ステーションＳＴにおいて、ワークＷの端面を突き当て部材３４に突き当てることにより、ワークＷをダイ金型１４に対して奥行方向に位置決めする。そして、下降用フットペダル６２と上昇用フットペダル６４（又は下降用フットペダル６２のみ）の足踏み操作によって各油圧シリンダ３０を制御して上部テーブル２６の昇降動作を行う。これにより、最初の加工ステーションＳＴにおいて、パンチ金型１２とダイ金型１４の協働によりワークＷに対して最初の曲げ加工を行うことができる。
【００３６】
その後、ワークＷの曲げ順に基づいて、手動によってペダルケース５０をスライド部材４４と共に長さ方向へ移動させて、次以降の加工ステーションＳＴに対応する位置に位置させる。また、次以降の加工ステーションＳＴにおいて、ワークＷの端面を突き当て部材３４に突き当てることにより、ワークＷをダイ金型１４に対して奥行方向へ位置決めする。そして、下降用フットペダル６２と上昇用フットペダル６４（又は下降用フットペダル６２のみ）の足踏み操作によって各油圧シリンダ３０を制御して上部テーブル２６の昇降動作を行う。これにより、次以降の加工ステーションＳＴにおいて、パンチ金型１２とダイ金型１４の協働によりワークＷに対して次以降の曲げ加工を行うことができる。
【００３７】
前述のように、ペダルケース５０の上部５０ｕがスライド部材４４に連結ブラケット５２及び一対の固定ボルト５４を介して上下方向へ傾動可能に連結されている。ペダルケース５０の背面５０ｂ側がスライド部材４４よりも下部テーブル２２側に突出している。そのため、ペダルケース５０、下降用フットペダル６２、及び上昇用フットペダル６４を下部テーブル２２に十分に近づけることができる。
【００３８】
特に、ペダルケース５０の長さ方向の各側面５０ｓに補助転動ローラ７０が支持ブラケット６６を介して回転可能に設けられているため、ペダルケース５０と下部テーブル２２との干渉（接触）を回避しつつ、ペダルケース５０等を下部テーブル２２により十分に近づけることができる。
【００３９】
前述のように、ペダルケース５０の上部５０ｕがスライド部材４４の下端部に連結ブラケット５２及び一対の固定ボルト５４を介して上下方向へ移動可能に連結されている。各固定ボルト５４の外周側に設けられた圧縮スプリング５８は、ペダルケース５０の接地部５０ｅが床面Ｆから離れるようにペダルケース５０をスライド部材４４に対して付勢する。そして、フットスイッチ装置３６は、下降用フットペダル６２又は上昇用フットペダル６４が踏み込まれると、ペダルケース５０が各圧縮スプリング５８の付勢力に抗しながら各転動ローラ６８を支点として下方向へ傾動して、ペダルケース５０の接地部５０ｅが床面Ｆに接地するように構成されている。そのため、ペダルケース５０の長さ方向の各側面５０ｓに転動ローラ６８を上方向から覆うカバーを設けたり、各カバー内に転動ローラ６８をペダルケース５０に対して下方向へ付勢するスプリングを設けたりすることなく、下降用フットペダル６２又は上昇用フットペダル６４の踏み込む操作によるペダルケース５０の長さ方向の位置ずれを防止することができる。換言すれば、下降用フットペダル６２又は上昇用フットペダル６４の踏み込む操作によるペダルケース５０の長さ方向の位置ずれを防止した上で、ペダルケース５０の長さ方向の両側にフットペダル６２（又は６４）を踏まない方の足Ｍｆの置く場所を十分に確保することができる。
【００４０】
特に、各転動ローラ６８がペダルケース５０の奥行方向の中心位置よりも下部テーブル２２側に位置しているため、ペダルケース５０の長さ方向の両側にフットペダル６２（又は６４）を踏まない方の足Ｍｆの置く場所をより十分に確保することができる。
【００４１】
従って、本発明の実施形態によれば、ペダルケース５０等を下部テーブル２２により十分に近づけることができるため、作業者Ｍが下部テーブル２２及びダイ金型１４に十分に近づいた状態で、曲げ作業を行うことができる。また、ペダルケース５０の長さ方向の両側にフットペダル６２（又は６４）を踏まない方の足Ｍｆの置く場所をより十分に確保できるため、作業者Ｍが安定した姿勢を保った状態で、長時間の曲げ作業を行うことができる。つまり、本発明の実施形態によれば、作業者Ｍが下降用フットペダル６２又は上昇用フットペダル６４を踏み込む際にバランスを保った上で、曲げ作業の作業性を十分に高めることができる。
【００４２】
なお、本発明は、前述の実施形態の説明に限られるものではなく、種々の変更を行うことにより、その他、種々の態様で実施可能である。そして、本発明に包含される権利範囲は、前述の実施形態に限定されないものである。
【符号の説明】
【００４３】
１０    プレスブレーキ
１２    パンチ金型（上部金型）
１４    ダイ金型（下部金型）
１６    本体フレーム
１８    サイドプレート
２０    連結部材
２２    下部テーブル
２４    下部金型ホルダ
２６    上部テーブル
２８    上部金型ホルダ
３０    油圧シリンダ（昇降手段）
３２    バックゲージ装置
３４    突き当て部材
３６    フットスイッチ装置
３８    ガイド部材
４０    ガイド本体
４２    ガイドレール
４４    スライド部材
４６    スライドレール
４８    スライド本体
５０    ペダルケース
５０    ペダルケース
５０ｕ  上部
５０ｂ  背面
５０ｓ  側面
５０ｅ  接地部
５２    連結ブラケット
５２ｈ  長穴
５４    固定ボルト（固定部材）
５６    ナット
５８    圧縮スプリング（付勢部材）
６０    座金
６２    下降用フットペダル
６４    上昇用フットペダル
６６    支持ブラケット
６８    転動ローラ（転動体）
６８ｃ  軸心
７０    補助転動ローラ（補助転動体）
７０ｃ  軸心
Ｆ    床面
ＳＴ    加工ステーション
Ｗ    ワーク
Ｍ    作業者
Ｍｆ  足
【図１】
2020175406.tif 000003
【図２】
2020175406.tif 000004
【図３】
2020175406.tif 000005
【図４】
2020175406.tif 000006
【図５】
2020175406.tif 000007
【図６】
2020175406.tif 000008
【図７】
2020175406.tif 000009
【図８】
2020175406.tif 000010